(57)【要約】【課題】  様々なＥＭＤの符号化方式に対応し、かつＡＯＢにより再生互換を保証し、また、様々な著作権保護方式の機能を損なうことなくオーディオデータを記録する。【解決手段】  ディスクＤはオーディオデータをオーディオ符号化方式を用いて圧縮したＥＭＤエレメンタリストリーム２３と、オーディオデータのデジタル権利情報２２及びＥＭＤ付加データ２１と、エレメンタリ・ストリームを伸長したリニアＰＣＭオーディオデータ、又はリニアＰＣＭオーディオデータをさらに圧縮したテンポラリ・エレメンタリ・ストリームのいずれかをパケット化したＤＶＤ−ＡＲオーディオ・オブジェクト１３と、オーディオデータのデジタル権利情報、付加データに基づいて生成したオーディオ・オブジェクトのデジタル権利情報１２、再生管理データ１１と含むデータ構造を有する。【選択図】      図１
2005011524.tif 000002
【特許請求の範囲】
【請求項１】
オーディオデータをオーディオ符号化方式を用いて圧縮したエレメンタリ・ストリームをＭＰＥＧシステムに準拠してパケット化し、第一のオーディオ・オブジェクトを生成するステップと、
前記エレメンタリ・ストリームを伸長したリニアＰＣＭオーディオデータを生成するか、又は前記リニアＰＣＭオーディオデータをさらに圧縮してテンポラリ・エレメンタリ・ストリームを生成し、前記リニアＰＣＭオーディオデータ又はテンポラリ・エレメンタリ・ストリームをＭＰＥＧシステムに準拠してパケット化して第二のオーディオ・オブジェクトを生成するステップと、
前記オーディオデータのデジタル権利情報に基づいて前記第一及び第二のオーディオ・オブジェクトのデジタル権利情報であってコピー制御情報、ムーブ制御情報及び再生回数制御情報を含む権利情報を生成するとともに、前記オーディオデータに関する付加データに基づいて前記第一及び第二のオーディオ・オブジェクトの再生管理データを生成するステップと、
前記第一及び第二のオーディオ・オブジェクトとそのデジタル権利情報及び再生管理データを前記オーディオ用ディスクに記録するステップと、
前記第一及び第二のオーディオ・オブジェクトのうち少なくとも前記第二のオーディオ・オブジェクトを、前記デジタル権利情報及び再生管理データに従って再生するステップと、を有するオーディオ用ディスクの記録再生方法。
【請求項２】
前記オーディオデータの付加データに含まれる静止画のエレメンタリ・ストリームを抽出して静止画データを生成するステップ、又は前記静止画のエレメンタリ・ストリ−ムをＭＰＥＧシステムに準拠してパケット化して静止画オブジェクトを生成するステップと、
前記第一、第二のオーディオ・オブジェクト、デジタル権利情報及び再生管理データとともに、前記静止画データ又は静止画オブジェクトを前記オーディオ用ディスクに記録するステップとを、
さらに含む請求項１に記載のオーディオ用ディスクの記録再生方法。
【請求項３】
オーディオデータをオーディオ符号化方式を用いて圧縮したエレメンタリ・ストリームと、前記オーディオデータのデジタル権利情報であってコピー制御情報、ムーブ制御情報及び再生回数制御情報を含む権利情報と、前記オーディオデータに関する付加データを含むデータ群と、前記オーディオデータの付加データに静止画が含まれる場合にはその静止画データを電子音楽配信システムを介して受信するステップを更に含むことを特徴とする請求項２に記載のオーディオ用ディスクの記録再生方法。
【発明の詳細な説明】
【技術分野】
【０００１】
本発明は、オーディオ用ディスクの記録再生方法に関する。
【背景技術】
【０００２】
従来、デジタルオーディオデータを記録・再生することができる記録媒体としては、ＤＡＴ（Digital Audio Tape）やＭＤ（Mini Disc）などが存在する。これらは高音質なオーディオデータを１媒体当たり７４分〜１２０分間記録することができ、また、市販されているＣＤなどのパッケージメディアから楽曲をコピーして記録することが主な用途であった。
【０００３】
また、近年、デジタルオーディオデータを記録・再生することができる他の記録媒体として、半導体メモリを使ったメモリカード(ＳＤメモリカードやメモリスティックなど)が実用化されている。これらは、ＭＰ３（ＭＰＥＧ Audio Layer 3）やＡＡＣ（ＭＰＥＧ Audio AAC）、ＡＴＲＡＣ３などのオーディオ符号化方式で圧縮したオーディオデータを３０分〜１２０分程度記録することができる。
。メモリカードは、市販されているＣＤなどのパッケージメディアから楽曲をコピーして記録することに加え、主にインターネット上に構成された電子音楽配信（Electronic Music Distribution:ＥＭＤ）システムからＰＣなどを介してダウンロードした楽曲を記録する用途に使われる。これらのメモリカードは、楽曲の権利（著作権）を保護する機能を有することも特徴であり、ＳＤＭＩ（Secure Digital Music Initiative）と呼ばれる活動に準拠し、海賊行為から楽曲を保護し、ある一定のルール内で安全に楽曲をコピーすることを可能にしている。
【０００４】
一方、その記録容量が従来の媒体の数倍から十数倍になる次世代のディスク媒体が実用化されつつある。一つはＤＶＤ−ＲＯＭディスク（ＤＶＤ Specifications for Read-Only Discに準拠した読み出し専用光ディスク)であり、記録再生が可能なディスクとしてはＤＶＤ−ＲＷディスク（ＤＶＤ Specifications for Re-recordable Discに準拠した再記録可能なディスク)及びＤＶＤ−ＲＡＭディスク（ＤＶＤ Specifiations for Rewritable Discに準拠した再書き込み可能なディスク)がある。ＤＶＤ−ＲＷ又はＤＶＤ−ＲＡＭディスク上にビデオデータを収録する規格も策定されており、その大容量を活かして高画質な動画及び静止画を記録し、様々な編集を経て再生することができる。
【０００５】
ＤＶＤ−ＲＷディスクやＤＶＤ−ＲＡＭディスク上（以下、ＤＶＤ−ＲＷ／ＲＡＭディスクと略す）にビデオデータを収録する規格であるVIDEO RECORDING規格（以下ＤＶＤ−ＶＲと略す)では、ビデオデータはビデオオブジェクト（Video Object：ＶＯＢ）として記録され、記録した順序でＶＯＢ群を全て再生するためのオリジナル管理データ及びオリジナルＰＧＣ（Original Program Chain）と、ユーザが選択したＶＯＢの全部又は一部分を任意の順序で再生するためのユーザ定義管理データ及びユーザ定義ＰＧＣ（User Defined PGC)が定義される。ディスク上にはオリジナルＰＧＣはただ一つ存在し、ユーザ定義ＰＧＣは複数存在し得る。
【０００６】
したがって、ユーザは好みに応じて編集したユーザ定義ＰＧＣを使って、好みの再生を行うことができる。また、ＤＶＤ−ＶＲでは、著作権保護機能として、ＣＰＲＭ（Content Protection for Recordable Media）方式が採用されており、ＶＯＢを暗号化して海賊行為から保護する。また、ＶＯＢのコピーを「コピーフリー」、「一世代のみコピー可能」、「コピー不可」の３段階で制御する機能を有する。
【０００７】
一方、ＤＶＤ−ＶＲと同様に、ＤＶＤ−ＲＷ／ＲＡＭ ディスク上にオーディオデータを収録する規格であるAUDIO RECORDING規格（以下、ＤＶＤ−ＡＲと略す）が考えられる。そして、ＤＶＤ−ＡＲでもオーディオデータをオーディオオブジェクト(Audio ０bject：ＡＯＢ）として記録し、ＡＯＢ群をオリジナル管理データ(オリジナルＰＧＣ）と、ユーザ定義管理データ（ユーザ定義ＰＧＣ）で管理・再生する方法が一般的に考えられる。
【０００８】
また、著作権保護機能としてもＣＰＲＭ又はこれに準じる方式をサポートし、ＡＯＢを暗号化してＡＯＢのコピーを「コピーフリー」、「一世代のみコピー可能」、「コピー不可」の３段階で制御することが考えられる。また、ＡＯＢに収録するオーディオデータのオーディオ符号化方式としては、リニアＰＣＭやロスレス符号化など音質を一切損なわない方式が望ましいが、収録時間を延長する目的で非可逆(ロッシー)符号化方式(先に述べたＭＰ３やＡＡＣなど)をサポートすることも可能である。ただし、ＤＶＤ−ＡＲの記録装置・再生装置のハードウェア規模などには制限があり、サポートできる符号化方式の数には限界がある。
【０００９】
ＤＶＤ−ＶＲの場合でもＤＶＤ−ＡＲの場合でもそれぞれ、収録したＶＯＢ又はＡＯＢは、ＤＶＤ−ＶＲ又はＤＶＤ−ＡＲに対応する全ての再生装置(プレーヤー)で再生できることが必要である。これは、再生互換性を維持することにより、ユーザの混乱を避け、規格をより普及させ、ユーザに最終利益をもたらすために必要なことである。
【００１０】
図６はＤＶＤ−ＡＲにおけるコンテンツ１０の構成概念図を示す。ＤＶＤ−ＡＲコンテンツ１０は、実データであるＤＶＤ−ＡＲオーディオオブジェクト（ＡＯＢ）１３と、ＡＯＢ１３に関するコピー管理情報（Copy Control Information：ＣＣＩ）１２ａと、再生管理データ１１(前記オリジナル管理データやユーザ定義管理データの総称、以下、ナビゲーション情報ともいう）から成る。ＡＯＢ１３とＣＣＩ１２ａは、著作権保護方式（ＣＰＲＭなど）により保護されている。
【特許文献１】特許第３２１１７７２号公報
【発明の開示】
【発明が解決しようとする課題】
【００１１】
ＤＶＤ−ＡＲの用途として、ＣＤやＤＶＤ−Audioなどのパッケージメディアからのコピーを行う場合には、図６で示した構造で記録することで実現できる。
この場合は、パッケージメディアのデータが主にリニアＰＣＭであるため、これをそのままリニアＰＣＭで記録するか、又はロスレス符号化やロッシー符号化で圧縮して記録してもよい。また、著作権保護については、パッケージメディアからの第二世代コピーは一般に許可されないので、ＣＣＩに「コピー不可」を記述し、更なるコピーを禁止することで著作権を保護できる。
【００１２】
次に、電子音楽配信（ＥＭＤ）のコンテンツを記録する場合を考える。ＥＭＤシステムは、圧縮したオーディオデータを安全な状態（著作権を保護した状態)でユーザへ配信することを目的とする。現在までにこの目的を達成するための様々なＥＭＤシステムが開発され、運用されている。各ＥＭＤシステムでは、使用するオーディオ符号化方式も著作権保護方式も異なることが一般的である。オーディオ符号化方式としてはＭＰ３、ＡＡＣ、ＡＴＲＡＣ３、ＷＭＡ、ＴｗｉｎＶＱなど様々あり、今後も新しい方式の出現が予想される。また、著作権保護方式としても、ＥＭＭＳ、ＤＲＭ、Liquid Audio、ＷＭＴなど様々あり、やはり将来に向けて新しい方式が出現するであろう。
【００１３】
また、ＥＭＤシステムでは、ＳＤＭＩで提唱されている安全なコンテンツ運用の基準に準拠することが一般的であり、コンテンツに添付されたデジタル権利情報（Usage Rule：ユーセッジルール）を基に、コンテンツのコピーや移動を制御する。例えば一つのコンテンツに対して最大３つまでの第一世代コピーが許可され、安全な状態で第一世代コピーが作られる（この行為をチェックアウトという）。コピーした個数分だけ、コピー可能個数は減少する。逆にコピーをコピー元に戻す行為(チェックインという）を行えば、コピー可能個数は元に戻される（増加する）。チェックアウト・チェックインを通して、常に親に対して最大３つまでのコピーが存在するように制御される。ＳＤＭＩでは、チェックアウト・チェックインの親側（ホテル側）をＬＣＭ（License Compliant Module）と呼び、子側（顧客側）をＰＭ（Portable Media）又はPortable Deviceと呼ぶ。
【００１４】
Usage Ruleは、チェックアウト・チェックイン以外にも様々な制御情報を含む場合がある。例えばそのコンテンツの再生期間を限定する機能（ある時期を過ぎたら再生できなくする）、再生回数を限定する機能（ある回数再生したら、以後再生できなくする）などが考えられる。図７（ａ）、（ｂ）はそれぞれＥＭＤコンテンツ２０Ａ、２０Ｂの構成概念図を示す。上で述べたオーディオデータ部分は、圧縮したＥＭＤエレメンタリストリーム２３Ａ、２３Ｂとして伝送される。
ＥＭＤ Usage Rule２２Ａ、２２Ｂの他にも、ＥＭＤ付加データ２１Ａ、２１Ｂとしてコンテンツを特定するＩＳＲＣなどのコードや曲名などのテキスト情報、静止画などの付加コンテンツなどが伝送され得る。
【００１５】
ＥＭＤコンテンツ２０Ａ、２０Ｂは、著作権保護方式によりＥＭＤエレメンタリストリーム２３Ａ、２３ＢとＥＭＤ Usage Rule２２Ａ、２２Ｂ及びＥＭＤ付加データ２１Ａ、２１Ｂの全部又は一部が暗号化される。ＥＭＤコンテンツ２０Ａ、２０Ｂは、ＥＭＤシステムによってその構成要素が異なる。
【００１６】
図７（ａ）に示すＥＭＤタイプ（Type）Ａ（ＥＭＤ−Ａ）のコンテンツ２０Ａは、それぞれ独自の付加コンテンツ、Usage Rule、著作権保護方式を持ち、ＥＭＤエレメンタリストリーム２３Ａは符号化方式Ｘで符号化されている例を示している。
【００１７】
また、図７（ｂ）に示すＥＭＤ Type Ｂ（ＥＭＤ−Ｂ）のコンテンツ２０Ｂも同様に、独自の付加コンテンツ、Usage Rule、著作権保護方式、符号化方式を持ち得ることを示している。
【００１８】
ＥＭＤのコンテンツをＤＶＤ−ＡＲへ記録する場合、幾つかの課題がある。それを以下に述べる。
【００１９】
・オーディオ符号化方式について
ＥＭＤでは様々な符号化方式を用いるが、ＤＶＤ−ＡＲのＡＯＢでサポートできる方式数には限界がある。
【００２０】
また、ＡＯＢの符号化方式は、再生互換を保証しなければならないため、将来方式を追加することができない。
【００２１】
したがって、現在及び将来に渡るＥＭＤの符号化方式を全てサポートすることは不可能である。
【００２２】
そこで、様々なＥＭＤの符号化方式に対応し、かつＡＯＢにより再生互換を保証する方法が必要である。
【００２３】
・著作権保護方式について
ＥＭＤでは様々な著作権保護方式を用いるが、ＤＶＤ−ＡＲで標準規格としてサポートできる方式は基本的に一種類である。
【００２４】
また、取り扱えるデジタル権利情報にも限界がある。
【００２５】
したがって、様々な著作権保護方式の機能を損なうことなくディスクに記録する方法が必要である。
【００２６】
本発明は上記従来例の問題点に鑑み、様々なＥＭＤの符号化方式に対応し、かつＡＯＢにより再生互換を保証することができるとともに、様々な著作権保護方式の機能を損なうことなくオーディオデータを記録することができる、オーディオ用ディスクの記録再生方法、を提供することを目的とする。
【課題を解決するための手段】
【００２７】
本発明は上記目的を達成するために、手段として以下の構成を有する。
【００２８】
すなわち本発明によれば、オーディオデータをオーディオ符号化方式を用いて圧縮したエレメンタリ・ストリームをＭＰＥＧシステムに準拠してパケット化し、第一のオーディオ・オブジェクトを生成するステップと、前記エレメンタリ・ストリームを伸長したリニアＰＣＭオーディオデータを生成するか、又は前記リニアＰＣＭオーディオデータをさらに圧縮してテンポラリ・エレメンタリ・ストリームを生成し、前記リニアＰＣＭオーディオデータ又はテンポラリ・エレメンタリ・ストリームをＭＰＥＧシステムに準拠してパケット化して第二のオーディオ・オブジェクトを生成するステップと、前記オーディオデータのデジタル権利情報に基づいて前記第一及び第二のオーディオ・オブジェクトのデジタル権利情報であってコピー制御情報、ムーブ制御情報及び再生回数制御情報を含む権利情報を生成するとともに、前記オーディオデータに関する付加データに基づいて前記第一及び第二のオーディオ・オブジェクトの再生管理データを生成するステップと、前記第一及び第二のオーディオ・オブジェクトとそのデジタル権利情報及び再生管理データを前記オーディオ用ディスクに記録するステップと、前記第一及び第二のオーディオ・オブジェクトのうち少なくとも前記第二のオーディオ・オブジェクトを、前記デジタル権利情報及び再生管理データに従って再生するステップと、を有するオーディオ用ディスクの記録再生方法、が提供される。
また、本発明によれば、前記オーディオデータの付加データに含まれる静止画のエレメンタリ・ストリームを抽出して静止画データを生成するステップ、又は前記静止画のエレメンタリ・ストリ−ムをＭＰＥＧシステムに準拠してパケット化して静止画オブジェクトを生成するステップと、前記第一、第二のオーディオ・オブジェクト、デジタル権利情報及び再生管理データとともに、前記静止画データ又は静止画オブジェクトを前記オーディオ用ディスクに記録するステップとを、さらに含む請求項１に記載のオーディオ用ディスクの記録再生方法、が提供される。
また、本発明によれば、オーディオデータをオーディオ符号化方式を用いて圧縮したエレメンタリ・ストリームと、前記オーディオデータのデジタル権利情報であってコピー制御情報、ムーブ制御情報及び再生回数制御情報を含む権利情報と、前記オーディオデータに関する付加データを含むデータ群と、前記オーディオデータの付加データに静止画が含まれる場合にはその静止画データを電子音楽配信システムを介して受信するステップを更に含むことを特徴とする請求項２に記載のオーディオ用ディスクの記録再生方法、が提供される。
【発明の効果】
【００２９】
本発明によれば、ＥＭＤコンテンツをＤＶＤ−ＡＲコンテンツに変換してディスクに記録するとともに、ＥＭＤコンテンツのデジタル権利情報、付加データに基づいてＤＶＤ−ＡＲコンテンツのデジタル権利情報、再生管理データを生成してディスクに記録するようにしたので、ＥＭＤシステムの種類に関わらず、また、ＥＭＤのオーディオ符号化方式に関わらずディスクにコンテンツを記録することができる。
また、再生時にはＤＶＤ−ＡＲコンテンツを使用することができるので再生互換を確保することができる。さらに、チェックアウト・チェックインなどのＥＭＤ特有の機能についてはＥＭＤコンテンツ側を使用することにより実現できる。
また、このデータ構造であれば、将来新たなＥＭＤシステムやオーディオ符号化方式が導入された場合でも、ディスクとして記録できる。
記録装置としては、ＥＭＤレシーバー、ＥＭＤ著作権保護方式暗号復号部、ＥＭＤオーディオデコーダを更新する必要があるが、記録装置がパーソナルコンピュータをベースとしたものの場合や、上記３つの部分のみをパーソナルコンピュータで行うようにした装置の場合には容易に対応できる。
また、本発明の第２の実施の形態によれば、第１の実施の形態と同様の効果が得られると同時に、ＤＶＤ−ＡＲオーディオオブジェクトのみを記録し、ＥＭＤエレメンタリ・ストリームを記録しないので、第１の実施の形態の場合よりもディスク上の記録時間が延長することができる。
また、本発明の第３の実施の形態によれば、第１の実施の形態と同様の効果が得られるとともに、Usage RuleがＤＶＤ−ＡＲ Usage Rule１２に統一されるため、チェックイン・チェックアウトやムーブの動作に関してＤＶＤ−ＡＲのルールが統一的に適用され、より高い互換性を確保することができる。
また、本発明の第４の実施の形態によれば、第３の実施の形態と同様の効果が得られるとともに、ＥＭＤ付加データ２１中の静止画データもＤＶＤ−ＡＲナビゲーション情報１１から制御される形で記録されるため、オーディオと共に静止画を再生することができ、また、静止画データの記録方法やナビゲーション情報１１もＤＶＤ−ＡＲの規定に基づいて記録されるので、静止画についてもより高い互換性を確保することができる。
【発明を実施するための最良の形態】
【００３０】
＜第１の実施の形態＞
以下、図面を参照して本発明の実施の形態について説明する。図１は本発明に係るオーディオ用ディスクのデータ構造の第１の実施の形態を示す説明図、図２は本発明に係る記録装置の第１の実施の形態を示すブロック図、図３は図１のＤＶＤ−ＡＲコンテンツとＥＭＤコンテンツの用途及びデジタル権利情報を示す説明図、図４は本発明に係る再生装置の第１の実施の形態を示すブロック図である。
【００３１】
図１において、任意のＥＭＤシステムから伝送されたＥＭＤコンテンツ２０のＥＭＤ付加データ２１、ＥＭＤ Usage Rule（ユーセッジ・ルール）２２、ＥＭＤエレメンタリストリーム２３は、そのままＤＶＤ−ＡＲディスク上にＤＶＤ−ＡＲコンテンツ１０（ＤＶＤ−ＡＲナビゲーション情報１１、ＤＶＤ−ＡＲ Usage Rule１２、ＤＶＤ−ＡＲオーディオオブジェクト１３）と共に記録される。
ＥＭＤコンテンツ２０はＤＶＤ−ＡＲのナビゲーション情報１１から参照されており、このため、ＤＶＤ−ＡＲコンテンツ１０とＥＭＤコンテンツ２０の関係を定義している。図１に示す実施の形態では、ＥＭＤコンテンツ２０の著作権保護方式をＤＶＤ−ＡＲの著作権保護方式に変換する例を示している。
【００３２】
図２は図１に示すＤＶＤ−ＡＲコンテンツ１０、ＥＭＤコンテンツ２０を記録するための記録装置のブロック図の例を示す。図２を参照して図１に示すデータ構造についても詳しく説明する。この記録装置はその初段にインターネットなどのＥＭＤシステムサイト３０に接続されてＥＭＤコンテンツ２０を受信するＥＭＤレシーバー３１を持つ。受信したＥＭＤコンテンツ２０は、ＥＭＤ著作権保護方式暗号復号部３２でいったん暗号が解除される。その中のＥＭＤエレメンタリストリーム２３はＥＭＤオーディオデコーダ３３でデコードされてＬＰＣＭデータとなる一方、ＤＶＤ−ＡＲフォーマッタ３６ヘも伝送される。ＤＶＤ−ＡＲコンテンツ１０として、ＬＰＣＭ以外の圧縮符号化方式（ロスレス方式もしくはロッシー方式）を用いる場合のみ、ＬＰＣＭデータはＤＶＤ−ＡＲオーディオエンコーダ３４を経由してＤＶＤ−ＡＲフォーマッタ３６へ送られてパケット化され、オーディオオブジェクトに変換される。
【００３３】
一方、暗号復号後のＥＭＤ Usage Rule２２やＥＭＤ付加データ２１は、ＤＶＤ−ＡＲナビゲーション制御部３５ａ／Usage Rule変換部３５ｂへ伝送され、そこでＤＶＤ−ＡＲ用のナビゲーション情報１１が作成され、また、ＤＶＤ−ＡＲ  Usage Rule１２へ変換される。ＥＭＤ Usage Rule２２、ＥＭＤ付加データ２１及びＤＶＤ−ＡＲナビゲーション情報１１とＤＶＤ−ＡＲ Usage Rule１２はＤＶＤ−ＡＲフォーマッタ３６ヘ伝送され、ＤＶＤ−ＡＲの所定のフォーマットへ変換される。このフォーマット化データはさらにＤＶＤ−ＡＲ著作権保護方式暗号化部３７で必要な部分は暗号化され、次いでディスク書き込み部３８を通してディスクＤに記録される。
【００３４】
ここで、図１に示すＤＶＤ−ＡＲコンテンツ１０とＥＭＤコンテンツ２０の用途を考える。ＤＶＤ−ＡＲコンテンツ１０はＤＶＤ−ＡＲとしての再生互換のために記録するものであり、したがって、要求される機能は、基本的には再生のみであり、ＳＤＭＩ対応特有のチェックイン・チェックアウト制御を受け持つ必要はない。一方、ＥＭＤコンテンツ２０は、ＳＤＭＩ対応のオリジナルＥＭＤ Usage Rule２２を保持しており、チェックイン・チェックアウト制御を行うことができる。
【００３５】
図３はＤＶＤ−ＡＲコンテンツ１０側とＥＭＤコンテンツ２０側の用途とUsage Ruleの内容を示す。ＥＭＤコンテンツ２０側には、チェックイン・チェックアウト制御情報を始め、再生回数や再生期間の制御情報及びＥＭＤシステム独自のその他の制御情報も含まれ得る。一方、ＤＶＤ−ＡＲコンテンツ１０側は再生のみに使用するため、コピー制御情報は基本的には「コピー不可」に設定される。
また、ＥＭＤコンテンツ２０が再生回数や再生期間の制御を要求している場合、それらの情報も再生の制御用に記述され得る。このように、ＥＭＤシステム独自の情報はＤＶＤ−ＡＲでは扱わない。
【００３６】
図４はＤＶＤ−ＡＲコンテンツ１０を再生するＤＶＤ−ＡＲ再生装置のブロック図を例示する。ディスクＤから読み出されたＤＶＤ−ＡＲコンテンツ１０は、ディスク読み出し部４１を経由してＤＶＤ−ＡＲ著作権保護方式暗号復号部４２で暗号を解かれ、ＤＶＤ−ＡＲフォーマットデコーダ４３で必要な前述のデータ１１、１２、１３などが分離される。ＤＶＤ−ＡＲナビゲーション情報１１とＤＶＤ−ＡＲ  Usage Rule１２は、それぞれＤＶＤ−ＡＲナビゲーション制御部４４ａとUsage Rule解釈部４４ｂへ伝送される。
【００３７】
Usage Rule解釈部４４ｂではＤＶＤ−ＡＲ  Usage Rule１２に基づき、このコンテンツが再生可能かどうかが判定される。例えば再生期間制御を行うコンテンツであって、再生可能期間が経過していた場合には再生を禁止する。再生が可能なコンテンツであれば、ＤＶＤ−ＡＲフォーマットデコーダ４３からＬＰＣＭデータがＤ／Ａコンバータ４７へ伝送され、また、圧縮されたデータであればＤＶＤ−ＡＲオーディオデコーダ４６でデコードされた後にＤ／Ａコンバータ４７へ伝送され、アナログオーディオ出力が得られる。同時に、外部インターフェース回路４５を持つ場合にはＤＶＤ−ＡＲ  Usage Rule１２に従ってコピー管理情報（基本的には「コピー不可」）が付加され、デジタル出力される。
【００３８】
次に、第１の実施の形態のバリエーションについて述べる。図１、図２では、ＥＭＤコンテンツ２０とＤＶＤ−ＡＲコンテンツ１０を同一のＤＶＤ−ＡＲ著作権保護方式で暗号化する例を説明したが、別の方法として、ＥＭＤコンテンツ２０はＥＭＤの著作権保護方式で暗号化された状態でＤＶＤ−ＡＲディスクＤに記録し、ＤＶＤ−ＡＲコンテンツ１０はＤＶＤ−ＡＲ著作権保護方式で暗号化するということも可能である(図示しない)。
【００３９】
次にコンテンツとファイルの関係を述べれば、図１、図２に示すようにＤＶＤ−ＡＲの著作権保護方式のみで両方を暗号化する場合には、ＤＶＤ−ＡＲコンテンツ１０とＥＭＤコンテンツ２０を同一のファイル内に記録することが構造上有効であり、関連するコンテンツを単一ファイルとして容易に管理することができる。一方、ＤＶＤ−ＡＲコンテンツ１０とＥＭＤコンテンツ２０を別の著作権保護方式で暗号化する場合には、それぞれを別のファイルとして記録するのが一般的である。この場合も両方のコンテンツ１０、２０の関連は、ＤＶＤ−ＡＲのナビゲーション情報１１を通じて管理される。
【００４０】
また更なるバリエーションとしては、ＥＭＤの著作権保護方式で暗号化されたコンテンツをさらにＤＶＤ−ＡＲの著作権保護方式で暗号化(二重暗号)することも考えられる(図示しない)。この場合のファイルの扱いは、図１、図２に示す場合とほぼ同様である。
【００４１】
＜第２の実施の形態＞
次に本発明に係る第２の実施の形態について述べる。第１の実施の形態では、ＤＶＤ−ＡＲオーディオオブジェクト１３と、ＥＭＤエレメンタリストリーム２３の両方を記録することを述べた。この変形として第２の実施の形態では、ＤＶＤ−ＡＲオーディオオブジェクト１３のみを記録する。図５は第２の実施の形態のディスク構造を示す。この実施の形態を取り得る条件としては次の２つが考えられる。
【００４２】
１．ＤＶＤ−ＡＲディスクＤをPortable Media用途で使用する場合
この場合には、ＬＣＭ用途ではないのでＤＶＤ−ＡＲディスクＤから外部機器へのチェックアウトを取り扱う必要が無くなる。したがって、チェックアウト時に必要なＥＭＤエレメンタリストリーム２３を保存する必要は無い。ＤＶＤ−ＡＲディスクＤから親のＬＣＭへのチェックインの制御のためにはＥＭＤ Usage Rule２２が必要である。Portable Mediaの用途は再生であり、再生はＤＶＤ−ＡＲコンテンツ１０側を用いて第１の実施の形態と同様に行うことができる。
【００４３】
２．ＤＶＤ−ＡＲの圧縮方式(オーディオ符号化方式)とＥＭＤの圧縮方式が同一の場合
この場合には、ＤＶＤ−ＡＲディスクＤの用途がＬＣＭである場合でも、ＥＭＤエレメンタリストリーム２３は省略できる。チェックアウト時にＥＭＤエレメンタリストリーム２３が必要になった場合、ＤＶＤ−ＡＲオーディオオブジェクト１３からＥＭＤエレメンタリストリーム２３へ再変換することにより可能になる。
【００４４】
第２の実施の形態の場合、記録装置のブロック図は図２とほぼ同等であり、ＥＭＤエレメンタリストリーム２３をＤＶＤ−ＡＲフォーマッタ３６に入力するパスが不要になる。また、ＤＶＤ−ＡＲ  Usage Rule１２、ＥＭＤ  Usage Rule２２は図３と同等であり、再生装置も図４と同等である。
【００４５】
＜第３の実施の形態＞
次に、本発明に係る第３の実施の形態について説明する。これは第１の実施の形態の変形であり、図８は本発明に係るオーディオ用ディスクのデータ構造の第３の実施の形態を示す説明図、図９は図８のＤＶＤ−ＡＲコンテンツとＥＭＤコンテンツの用途及びデジタル権利情報を示す説明図である。
【００４６】
図８において、図１との相違点は、任意のＥＭＤシステムから伝送されたＥＭＤコンテンツ２０のＥＭＤ付加データ２１とＥＭＤ Usage Rule（ユーセッジ・ルール）２２が存在しないこと、及びＥＭＤエレメンタリストリーム２３がＥＭＤオーディオオブジェクト２４に変換されて記録されている点である。ここで、ＥＭＤオーディオオブジェクト２４とは、図１に示すＥＭＤエレメンタリストリーム２３を、ＤＶＤ−ＡＲオーディオオブジェクト１３と同様にパケット化したものである。また、図１に示すＥＭＤ付加データ２１の全部又は一部（テキスト情報も含む）は、図８に示すＤＶＤ−ＡＲナビゲーション情報１１に変換される。また、図１に示すＥＭＤ Usage Rule２２はＤＶＤ−ＡＲ Usage Rule１２に変換される。
【００４７】
本実施の形態においては、ＤＶＤ−ＡＲコンテンツ１０’は、ＤＶＤ−ＡＲオーディオオブジェクト１３と、ＤＶＤ−ＡＲ Usage Rule１２と、ＤＶＤ−ＡＲナビゲーション情報１１から成る。また、ＥＭＤコンテンツ２０’は、ＥＭＤオーディオオブジェクト２４と、ＤＶＤ−ＡＲ Usage Rule１２と、ＤＶＤ−ＡＲナビゲーション情報１１から成る。
【００４８】
本実施の形態のＤＶＤ−ＡＲコンテンツ１０’、ＥＭＤコンテンツ２０’を記録するための記録装置のブロック図は図２と同様である。すなわち、図１に示すＥＭＤ付加データ２１とＥＭＤ Usage Rule２２自体はディスクに記録されず、それぞれＤＶＤ−ＡＲナビゲーション情報１１とＤＶＤ−ＡＲ Usage Rule１２に変換されたものだけが記録される。また、図１に示すＥＭＤエレメンタリストリーム２３はＤＶＤ−ＡＲフォーマッタ３６において、ＥＭＤオーディオオブジェクト２４に変換される。
【００４９】
ここで、図８に示すＤＶＤ−ＡＲコンテンツ１０’とＥＭＤコンテンツ２０’の用途を考える。図９はＤＶＤ−ＡＲコンテンツ１０’側とＥＭＤコンテンツ２０’側の用途とＤＶＤ−ＡＲ UsageRule１２の内容側を示す。ＤＶＤ−ＡＲコンテンツ１０’はＤＶＤ−ＡＲとしての再生互換のために記録するものであり、したがって、主な用途は、再生とデジタル出力を介してのコピー（許可される場合）である。再生については再生回数制限や再生期間制限が施される場合がある。
【００５０】
一方、ＥＭＤコンテンツ２０’は、主にチェックイン・チェックアウトやムーブなど、ロッシー圧縮したデータをそのままやりとりする場合に用いられる。（もしＬＰＣＭなどでのムーブが可能な場合には、ＤＶＤ−ＡＲコンテンツ１０’をムーブしてもよい。）いずれの場合も、Usage RuleとしてはＤＶＤ−ＡＲ Usage Rule１２が使用される。
【００５１】
また、図８におけるＤＶＤ−ＡＲコンテンツ１０’を再生するＤＶＤ−ＡＲ再生装置のブロック図は、図４と同一である。
【００５２】
＜第４の実施の形態＞
次に、本発明に係る第４の実施の形態について説明する。第３（及び第１、第２）の実施の形態においては、図１に示すＥＭＤ付加データ２１に含まれ得る静止画について言及しなかった。静止画が含まれる場合、静止画のデータを図１に示すＥＭＤ付加データ２１から抽出し、記録することが考えられる。図１０は本発明に係るオーディオ用ディスクのデータ構造の第４の実施の形態を示す説明図である。静止画のデータは主にＪＰＥＧ圧縮されたものが多く、他にはＭＰＥＧのイントラフレームなども用いられる場合がある。
【００５３】
以下、ＪＰＥＧを仮定して説明する。静止画データ２５は、ＪＰＥＧのエレメンタリストリーム又はこれに準じた形式で記録してもよいし、又はＪＰＥＧエレメンタリストリームをパケット化した静止画オブジェクトとして記録してもよい。静止画データ２５をディスクからコピー又はムーブする場合の制御は、ＤＶＤ−ＡＲ Usage Rule１２によって行われる。一般的にはＥＭＤコンテンツの場合、オーディオと静止画は同時にチェックイン・アウトやムーブを行うが、別々に行ってよい場合もある。
【００５４】
本実施の形態においては図１０に示すように、ＤＶＤ−ＡＲコンテンツ１０”は、ＤＶＤ−ＡＲオーディオオブジェクト１３と、ＤＶＤ−ＡＲ Usage Rule１２と、ＤＶＤ−ＡＲナビゲーション情報１１と静止画データ２５から成り得る。また、ＥＭＤコンテンツ２０”は、ＥＭＤオーディオオブジェクト２４と、ＤＶＤ−ＡＲ Usage Rule１２と、ＤＶＤ−ＡＲナビゲーション情報１１と静止画データ２５から成り得る。
【００５５】
本実施の形態のＤＶＤ−ＡＲコンテンツ１０”とＥＭＤコンテンツ２０”を記録するための記録装置のブロック図は図２と同様である。すなわち、図１に示すＥＭＤ付加データ２１とＥＭＤ Usage Rule２２自体はディスクに記録されず、それぞれ図１０に示すＤＶＤ−ＡＲナビゲーション情報１１と静止画データ２５、及びＤＶＤ−ＡＲ Usage Rule１２に変換されたものが記録される。更に詳しく述べると、静止画のＥＭＤエレメンタリストリーム（ＪＰＥＧエレメンタリストリームなど）がＤＶＤ−ＡＲフォーマッタ３６により静止画データ２５に変換され、ディスクに記録される。また、オーディオのＥＭＤエレメンタリストリーム２３はＤＶＤ−ＡＲフォーマッタ３６において、ＥＭＤオーディオオブジェクト２４に変換される。
【００５６】
また、図１０におけるＤＶＤ−ＡＲコンテンツ１０”（静止画データ２５を含む）を再生するＤＶＤ−ＡＲ再生装置のブロック図を図１１に示す。図１１における図１０のＤＶＤ−ＡＲオーディオオブジェクト１３の再生手順は、基本的に図４の場合と同じである。更に図１１では静止画データ２５の再生手順が加わる。すなわち、ディスクＤから読み出された静止画データ２５は、ディスク読み出し部４１を経由してＤＶＤ−ＡＲ著作権保護方式暗号復号部４２で暗号を解かれ、ＤＶＤ−ＡＲフォーマットデコーダ４３で必要な前述のデータ１１、１２、２５などが分離される。
【００５７】
静止画データ２５は、静止画メモリ４８へいったん保存される。ここで、オーディオと同時に再生すべき静止画が複数枚有る場合には、それら全てが静止画メモリ４８へ保存される。その後、図４で説明した手順でオーディオの再生を行いながら、静止画を表示すべき時刻に静止画メモリ４８から静止画デコーダ４９へ一枚分の静止画データを伝送し静止画デコーダて４９でデコードされ、次いでＤ／Ａ ＴＶ出力回路５０によりＮＴＳＣ又はＰＡＬのＴＶ出力信号に変換される。
【００５８】
なお、本発明のようにオーディオのデータと静止画のデータがメディア上に別々に記録されている場合の再生方法については、特許第３２１１７７２号公報にて詳しく述べられているので、特に説明しない。さらに、第４の実施の形態の静止画データ２５の収録方法を、第１及び第２の実施の形態（図１及び図５）にも追加することができるのは、自明である。ここでは特に図面を挙げて説明しない。
【００５９】
なお、第１から第４の実施の形態において、「パケット化」とは、エレメンタリストリームにヘッダなどを付加してユニット化する処理であり、図１２には、ＭＰＥＧシステムに準拠したプログラムストリームにする場合の例を示す。エレメンタリストリームは、同期時刻情報などを含むパケットヘッダが付加され、また、必要な場合にはプライベートな情報を収録するプライベートヘッダが付加されて、パケット化エレメンタリストリームに構成される。さらに、パックヘッダを付加してパックとなり、パック列がプログラムストリームとなる。この例以外にも、ＭＰＥＧシステムに準拠したトランスポートストリームを構成してもよいし、他のシステムに準拠してもよい。
【００６０】
＜コンピュータプログラム＞
また、第１から第４の実施の形態における記録装置と再生装置は、ハードウエアに限定されず、コンピュータプログラムにより構成してこれでディスクの記録、再生を行うようにしてもよい。この場合には、図２に示す記録装置、図４、図１１に示す再生装置のハードウエア（ディスク書き込み部３８、ディスク読み出し部４１、Ｄ／Ａコンバータ４７など）を除くブロックをコンピュータプログラムで実現することができる。
【００６１】
図１３は記録用コンピュータプログラムの処理を概略的に示し、まず、オブジェクトを生成し（ステップＳ１１）、次いで再生管理データを生成し（ステップＳ１２）、次いでこれらをフォーマット化し、ストリーム化してディスクに記録する（ステップＳ１３）。図１４は再生用コンピュータプログラムの処理を概略的に示し、まず、ディスクから再生管理データを読み出し（ステップＳ２１）、次いでオブジェクトを読み出し（ステップＳ２２）、次いで再生管理データに基づいてオブジェクトを再生する（ステップＳ２３）。
【図面の簡単な説明】
【００６２】
【図１】本発明に係るオーディオ用ディスクのデータ構造の第１の実施の形態を示す説明図である。
【図２】本発明に係る記録装置の第１の実施の形態を示すブロック図である。
【図３】図１のＤＶＤ−ＡＲコンテンツとＥＭＤコンテンツの用途及びデジタル権利情報を示す説明図である。
【図４】本発明に係る再生装置の第１の実施の形態を示すブロック図である。
【図５】第２の実施の形態のオーディオ用ディスクのデータ構造を示す説明図である。
【図６】ＤＶＤ−ＡＲディスクのデータ構造を示す説明図である。
【図７】ＥＭＤコンテンツのデータ構造を示す説明図である。
【図８】本発明に係るオーディオ用ディスクのデータ構造の第３の実施の形態を示す説明図である。
【図９】図８のＤＶＤ−ＡＲコンテンツとＥＭＤコンテンツの用途及びデジタル権利情報を示す説明図である。
【図１０】本発明に係るオーディオ用ディスクのデータ構造の第４の実施の形態を示す説明図である。
【図１１】本発明の第４の実施の形態に係る再生装置を示すブロック図である。
【図１２】本発明に係るパケット化の例を示す説明図である。
【図１３】本発明に係る記録用コンピュータプログラムの概略を示すフローチャートである。
【図１４】本発明に係る再生用コンピュータプログラムの概略を示すフローチャートである。
【符号の説明】
【００６３】
１０、１０’、１０”  ＤＶＤ−ＡＲコンテンツ
１１  ＤＶＤ−ＡＲナビゲーション情報（再生管理データ）
１２  ＤＶＤ−ＡＲ Usage Rule（デジタル権利情報）
１２ａ  ＤＶＤ−ＡＲコピー管理情報（ＣＣＩ）
１３  ＤＶＤ−ＡＲオーディオ・オブジェクト（ＡＯＢ）
２０、２０Ａ、２０Ｂ、２０’、２０”  ＥＭＤコンテンツ
２１  ＥＭＤ付加データ
２２  ＥＭＤ Usage Rule（デジタル権利情報）
２３、２３Ａ、２３Ｂ  ＥＭＤエレメンタリストリーム
２４  ＥＭＤオーディオ・オブジェクト
２５  静止画データ
３１  ＥＭＤレシーバー
３２  ＥＭＤ著作権保護方式暗号復号部
３３  ＥＭＤオーディオデコーダ
３４  ＤＶＤ−ＡＲオーディオエンコーダ
３５ａ  ＤＶＤ−ＡＲナビゲーション制御部
３５ｂ  Usage Rule変換部
３６  ＤＶＤ−ＡＲフォーマッタ
３７  ＤＶＤ−ＡＲ著作権保護方式暗号化部
３８  ディスク書き込み部
４１  ディスク読み出し部
４２  ＤＶＤ−ＡＲ著作権保護方式暗号復号部
４３  ＤＶＤ−ＡＲフォーマットデコーダ
４４ａ  ＤＶＤ−ＡＲナビゲーション制御部
４４ｂ  Usage Rule解釈部
４８  静止画メモリ
４９  静止画デコーダ
５０  Ｄ／Ａ ＴＶ出力回路
【図１】
2005011524.tif 000003
【図２】
2005011524.tif 000004
【図３】
2005011524.tif 000005
【図４】
2005011524.tif 000006
【図５】
2005011524.tif 000007
【図６】
2005011524.tif 000008
【図７】
2005011524.tif 000009
【図８】
2005011524.tif 000010
【図９】
2005011524.tif 000011
【図１０】
2005011524.tif 000012
【図１１】
2005011524.tif 000013
【図１２】
2005011524.tif 000014
【図１３】
2005011524.tif 000015
【図１４】
2005011524.tif 000016